(57)【要約】【課題】注意を促して安全性を高める、自動車用警告システム装置を提供する。【解決手段】自動車用警告システム装置は、自動車２に取り付ける警告システム装置１を含む。自動車２は、電源設備２０、左側のターンシグナルランプ２１、右側のターンシグナルランプ２２及び複数のドア２３を含む。警告システム装置１は、コントローラ１０を有する回路基板１００と、ターンシグナルランプモジュール１１と、電源モジュール１２と、センサモジュール１３と、センサ部材２３２と、通知装置１４と、複数の警告装置１５とを含む。電源モジュール１２は、電源設備２０と接続される。ターンシグナルランプモジュール１１は、左側のターンシグナルランプ２１、２２とそれぞれ接続され、通知装置１４からユーザに知らせるための通知が発せられる。センサモジュール１３は、センサ部材２３２及び警告装置１５にそれぞれ接続される。【選択図】図１
0003207759.tif 000002
【実用新案登録請求の範囲】
【請求項１】
自動車に取り付ける警告システム装置を含む自動車用警告システム装置であって、
前記自動車は、電源設備、左側のターンシグナルランプ、右側のターンシグナルランプ及び複数のドアを含み、
前記警告システム装置は、コントローラを有する回路基板と、前記回路基板に接続されたターンシグナルランプモジュールと、電源モジュールと、センサモジュールと、センサ部材と、通知装置と、複数の警告装置と、を含み、
前記電源モジュールは、前記電源設備と接続され、
前記ターンシグナルランプモジュールは、前記左側のターンシグナルランプ及び前記右側のターンシグナルランプと接続され、前記通知装置からユーザに知らせるための通知が発せられ、
前記センサモジュールは、前記センサ部材及び前記警告装置にそれぞれ接続されることを特徴とする自動車用警告システム装置。
【請求項２】
前記ターンシグナルランプモジュールは、左側のターンシグナルランプ接続線及び右側のターンシグナルランプ接続線を含むことを特徴とする請求項１に記載の自動車用警告システム装置。
【請求項３】
前記電源モジュールは、少なくとも２本の電源ケーブルを含むことを特徴とする請求項１に記載の自動車用警告システム装置。
【請求項４】
前記センサモジュールは、少なくとも２本のセンサ接続線を含むことを特徴とする請求項１に記載の自動車用警告システム装置。
【請求項５】
前記センサ部材は、前記ドア内部に設けられた内側のドアノブアセンブリに配設されるとともに、前記センサ接続線が接続されることを特徴とする請求項４に記載の自動車用警告システム装置。
【請求項６】
前記警告装置は、ＬＥＤランプ及び警報装置であり、
前記ＬＥＤランプは、前記ドアの外側に取り付けられ、車外にいる人に注意を促し、
前記警報装置は、不特定者が前記センサ部材に触れたときに車内にいる人に注意を促すことを特徴とする請求項５に記載の自動車用警告システム装置。
【請求項７】
複数の撮影設備と、前記撮像設備と接続された表示スクリーンと、をさらに含み、
前記撮影設備は、前記ドアの外側に取り付けられ、前記センサ部材と電気的に接続され、
前記表示スクリーンは、前記ドア内に取り付けられていることを特徴とする請求項１に記載の自動車用警告システム装置。
【請求項８】
前記各ドアには、ドアノブが取り付けられ、
前記撮影設備は、後方の状況を監視するために前記ドアノブの一端に取り付けられることを特徴とする請求項７に記載の自動車用警告システム装置。
【請求項９】
前記通知装置は警報装置であることを特徴とする請求項１に記載の自動車用警告システム装置。 
【考案の詳細な説明】
【技術分野】
【０００１】
本考案は、システム装置に関するものであり、さらに詳しくは、自動車用警告システム装置に関するものである。
【背景技術】
【０００２】
現代人の生活が豊かになるに伴い、オートバイ及び自動車を運転する者が徐々に増加している。このような状況下において、道路が混雑し、道路に一時停止している車両に乗っている者が後方の状況を十分に確認せずにドアを開き、後方から来たオートバイ又は自動車が衝突する事故が発生し、死傷者が出るショッキングなニュースを耳にすることがある。もし運転手又は乗客が、運転に関する法規をよく理解し、運転マナーを高めることができない場合、このような事故は何度も繰り返される虞がある。
【０００３】
従来、上述したような問題を解決するための新しい技術は開発されていなかった。つまり、運転手又は乗客が車両から降りたり、車両が進行方向を変更したりする際、後方から車両が来ていることを運転者に知らせる装置は従来開発されていなかった。そこで本考案者は、このような交通の問題点に着目し、かかる問題点を改善する研究・開発を行い、下記の課題の解決が望まれてきた。
【考案の概要】
【考案が解決しようとする課題】
【０００４】
すなわち、本考案の主な課題は、車内の運転手が左側のターンシグナルランプ又は右側のターンシグナルランプを点滅または点灯すると、後方から車両が来ていないか運転手に注意を促すとともに、乗客が車両から降りるときに、後方から車両が来ていないか乗客に注意を促し、ドアが開いたときに、車外にいる人に自動車のドアが開いたことを知らせ、注意を促して安全性を高める、自動車用警告システム装置を提供することにある。
【課題を解決するための手段】
【０００５】
そこで、本考案者は、前記課題を解決するために鋭意検討を重ねた結果、次の構成をとることにより、前記課題を解決できることに着目した。
すなわち、車内の運転手が左側のターンシグナルランプ又は右側のターンシグナルランプを点滅または点灯すると、後方から車両が来ていないか運転手に注意を促すことができ、乗客が車両から降りるときには、後方から車両が来ていないか乗客に注意を促すことができ、さらに、ドアが開いたときに、警告装置を利用することにより、車外にいる人に自動車のドアが開いたことを知らせ、注意を促して安全性を高める、自動車用警告システム装置を提供することにある。
【０００６】
かくして、本考案の要旨は、次の通りである。
【０００７】
（１）自動車に取り付ける警告システム装置を含む自動車用警告システム装置であって、
前記自動車は、電源設備、左側のターンシグナルランプ、右側のターンシグナルランプ及び複数のドアを含み、
前記警告システム装置は、コントローラを有する回路基板と、前記回路基板に接続されたターンシグナルランプモジュールと、電源モジュールと、センサモジュールと、センサ部材と、通知装置と、複数の警告装置と、を含み、
前記電源モジュールは、前記電源設備と接続され、
前記ターンシグナルランプモジュールは、前記左側のターンシグナルランプ及び前記右側のターンシグナルランプと接続され、前記通知装置からユーザに知らせるための通知が発せられ、
前記センサモジュールは、前記センサ部材及び前記警告装置にそれぞれ接続されることを特徴とする自動車用警告システム装置。
【０００８】
（２）前記ターンシグナルランプモジュールは、左側のターンシグナルランプ接続線及び右側のターンシグナルランプ接続線を含むことを特徴とする前記（１）に記載の自動車用警告システム装置。
【０００９】
（３）前記電源モジュールは、少なくとも２本の電源ケーブルを含むことを特徴とする前記（１）に記載の自動車用警告システム装置。
【００１０】
（４）前記センサモジュールは、少なくとも２本のセンサ接続線を含むことを特徴とする前記（１）に記載の自動車用警告システム装置。
【００１１】
（５）前記センサ部材は、前記ドア内部に設けられた内側のドアノブアセンブリに配設されるとともに、前記センサ接続線が接続されることを特徴とする前記（４）に記載の自動車用警告システム装置。
【００１２】
（６）前記警告装置は、ＬＥＤランプ及び警報装置であり、
前記ＬＥＤランプは、前記ドアの外側に取り付けられ、車外にいる人に注意を促し、
前記警報装置は、不特定者が前記センサ部材に触れたときに車内にいる人に注意を促すことを特徴とする前記（５）に記載の自動車用警告システム装置。
【００１３】
（７）複数の撮影設備と、前記撮像設備と接続された表示スクリーンと、をさらに含み、
前記撮影設備は、前記ドアの外側に取り付けられ、前記センサ部材と電気的に接続され、
前記表示スクリーンは、前記ドア内に取り付けられていることを特徴とする前記（１）に記載の自動車用警告システム装置。
【００１４】
（８）前記各ドアには、ドアノブが取り付けられ、
前記撮影設備は、後方の状況を監視するために前記ドアノブの一端に取り付けられることを特徴とする前記（７）に記載の自動車用警告システム装置。
【００１５】
（９）前記通知装置は警報装置であることを特徴とする前記（１）に記載の自動車用警告システム装置。
【考案の効果】
【００１６】
本考案は前記の通りの構成からなり、簡素な装置により、また単純な操作によりかつ確実に知覚することができ、安全性の向上に寄与することができる。
【図面の簡単な説明】
【００１７】
【図１】図１は、本考案の一実施形態に係る自動車用警告システム装置を示すブロック図である。
【図２】図２は、本考案の一実施形態に係る自動車用警告システム装置の使用状態の説明図である。
【図３】図３は、本考案の一実施形態に係る自動車用警告システム装置の使用状態の説明図である。
【図４】図４は、本考案の一実施形態に係る自動車用警告システム装置の撮影設備の使用状態の説明図である。
【考案を実施するための形態】
【００１８】
図１を参照する。図１は、本考案の一実施形態に係る自動車用警告システム装置を示すブロック図である。図１に示すように、本考案の一実施形態に係る自動車用警告システム装置は、自動車２に取り付ける警告システム装置１を含む。自動車２は、電源設備２０、左側のターンシグナルランプ２１、右側のターンシグナルランプ２２及び複数のドア２３を含む。警告システム装置１は、コントローラ１０を有する回路基板１００と、回路基板１００に接続されたターンシグナルランプモジュール１１と、電源モジュール１２と、センサモジュール１３と、通知装置１４と、センサ部材２３２と、複数の警告装置１５と、を含む。電源モジュール１２は、２つの電源ケーブル１２０を含み、電源設備２０と接続される。ターンシグナルランプモジュール１１は、左側のターンシグナルランプ接続線１１０及び右側のターンシグナルランプ接続線１１２を含み、左側のターンシグナルランプ２１及び右側のターンシグナルランプ２２と接続され、通知装置１４からユーザに注意を促すための通知が発せられる。通知装置１４は警報装置である。センサモジュール１３は、２つのセンサ接続線１３０を含み、センサ部材２３２及び警告装置１５とそれぞれ接続される。内側のドアノブアセンブリ２３０に取り付けたセンサ部材２３２は、センサ接続線１３０に接続される。内側のドアノブアセンブリ２３０は、警告装置１５に接続される。乗客が車両から降りるときに、内側のドアノブアセンブリ２３０に取り付けたセンサ部材２３２に触れ、内側のドアノブアセンブリ２３０を介してドア２３が開かれると、センサ接続線１３０を介して信号が送信され、警告装置１５が警告を発してユーザに知らせる。
【００１９】
前述した設備は、車内にいる運転手が左側のターンシグナルランプ２１又は右側のターンシグナルランプ２２を点滅または点灯すると、後方から来る車両に注意するように通知装置１４により注意を促し、乗客が車両を降りるときに、内側のドアノブアセンブリ２３０に取り付けたセンサ部材２３２に触り、内側のドアノブアセンブリ２３０を介してドア２３が開かれると、後方から車両が来ていないか注意するように警告装置１５により乗客に注意を促す。ここで警告装置１５は、ＬＥＤ照明ランプ及び警報装置である。ＬＥＤ照明ランプは、車外にいる人に注意を促すためにドアの外側に取り付けられている。警報装置は、誰かがセンサ部材２３２に触れたときに車内にいる人に注意を促す、内側のドアノブアセンブリ２３０を介してドア２３が開いたときに、警告装置１５を利用して車外にいる人に自動車のドア２３が開いたことを知らせ、注意を促して安全性を高める。
【００２０】
図２及び図３を併せて参照する。図２は、本考案の一実施形態に係る自動車用警告システム装置の使用状態の説明図である。図３は、本考案の一実施形態に係る自動車用警告システム装置の使用状態の説明図である。図１及び図２に示すように、運転手が左側のターンシグナルランプ２１又は右側のターンシグナルランプ２２を点滅または点灯すると、通知装置１４により後方から車両が来ていることを知らせ、運転手が右側のターンシグナルランプ２２を点滅または点灯すると、ターンシグナルランプモジュール１１中の右側のターンシグナルランプ接続線１１２を介して右側のターンシグナルランプ２２に信号を送信し、通知装置１４が通知を発する。通知装置は、車両が車線を変更するか旋回するときに後方から車両が来ているか注意を促すことにより、左右方向又は後方から車両が来ていることを十分確認せずに車線を変更する不適切な運転を未然に防ぐことができる。
【００２１】
図１及び図３を見ると分かるように、乗客又は運転手は、車両から降りる際にドア２３の内側のドアノブアセンブリ２３０を引いてからドア２３を押し開く。内側のドアノブアセンブリ２３０に配設されたセンサ部材２３２は、センサ接続線１３０がセンサ部材２３２及び警告装置１５にそれぞれ接続され、内側のドアノブアセンブリ２３０のセンサ部材２３２と、内側のドアノブアセンブリ２３０とを介し、ドア２３が開いたときに警告装置１５が起動する。警告装置１５は、ＬＥＤランプと警報装置とに大別される。ＬＥＤランプは、ドアの外側に取り付けられる。内側のドアノブアセンブリ２３０を引いてドア２３を押し開くときに車外にいる人に知らせて注意を促す。警報装置は、不特定者がセンサ部材２３２に触れたときに車内にいる人に注意を促し、内側のドアノブアセンブリ２３０は、ドア２３が開いたときに警告装置１５を利用して車外にいる人に自動車のドア２３が開いたことを知らせ、注意を促して安全性を高める。また、センサ部材２３２は、通知装置１４と通信し、通知を発する。
【００２２】
図４を併せて参照する。図４は、本考案の一実施形態に係る自動車用警告システム装置の撮影設備の使用状態の説明図である。図１及び図４に示すように、後部座席の乗客が自動車から降りるとき、後方から来る車両の状態を確かめるために、後部座席の外側のドアノブ２４に撮影設備２３４をそれぞれ取り付ける。撮影設備２３４は、後方を撮影するためにドアノブ２４の後端に取付けられ、後方から来る車両を効率良く撮影するために用いられる。撮影設備２３４は、表示スクリーン２３６及びセンサ部材２３２とそれぞれ電気的に接続され、センサ部材２３２が内側のドアノブアセンブリ２３０に取り付けられているため、使用者がセンサ部材２３２に触れると、前述の警告装置１５を起動するとともに、撮影設備２３４及び表示スクリーン２３６も同時に起動し、撮影設備２３４が撮影した画像がリアルタイムで表示スクリーン２３６により表示され、後部座席に座っている者が後方から来る車両の状態をはっきりと認識することができる。ここで、撮影設備２３４及び表示スクリーン２３６の一般の状態（センサ部材２３２に触れていない状態）は、スリープ状態、即ち未動作状態である。
【符号の説明】
【００２３】
１  警告システム装置
２  自動車
１０  コントローラ
１１  ターンシグナルランプモジュール
１２  電源モジュール
１３  センサモジュール
１４  通知装置
１５  警告装置
２０  電源設備
２１  左側のターンシグナルランプ
２２  右側のターンシグナルランプ
２３  ドア
２４  ドアノブ
１００  回路基板
１１０  左側のターンシグナルランプ接続線
１１２  右側のターンシグナルランプ接続線
１２０  電源ケーブル
１３０  センサ接続線
２３０  内側のドアノブアセンブリ
２３２  センサ部材
２３４  撮影設備
２３６  表示スクリーン
【図１】
0003207759.tif 000003
【図２】
0003207759.tif 000004
【図３】
0003207759.tif 000005
【図４】
0003207759.tif 000006